(57)【要約】【課題】自動的に排気方向を変更することができ、排気効率を向上させることができる電子機器の提供。【解決手段】プロジェクタ１は、排気口２７を有する外装筐体２と、排気口２７を介して外装筐体２内部の空気を外部に排気するファンとを備える。排気口２７には、この排気口２７を介して排気される空気の排気方向を変更可能に構成される整流板２９１が設けられる。外装筐体２には、排気口２７の周囲における物体の有無を検知して検知情報として出力する各フィールドセンサ２８Ｕ，２８Ｌ，２８Ｆ，２８Ｂがそれぞれ取付けられている。そして、プロジェクタ１は、各フィールドセンサ２８Ｕ，２８Ｌ，２８Ｆ，２８Ｂによる物体の検知情報に基づいて、整流板２９１に、排気口２７を介して排気される空気の排気方向を変更させる。【選択図】図１
2008203450.tif 000002
【特許請求の範囲】
【請求項１】
排気口を有する外装筐体と、前記排気口を介して前記外装筐体内部の空気を外部に排気するファンとを備えた電子機器であって、
前記排気口を介して排気される空気の排気方向を変更可能とする排気変更手段と、
前記排気口の周囲における物体の有無を検知する検知手段と、
前記排気変更手段および前記検知手段を制御する制御手段とを備え、
前記検知手段は、前記排気口の周囲における物体の有無を検知情報として出力し、
前記制御手段は、前記検知手段による検知情報に基づいて、前記排気変更手段に前記排気方向を変更させることを特徴とする電子機器。
【請求項２】
請求項１に記載の電子機器において、
前記排気変更手段は、
前記排気口を介して排気される空気を整流する整流面を有し、前記ファンによる空気の吐出方向と交差する方向を回動軸として回動自在に構成された整流板と、
前記回動軸を回動させて前記吐出方向に対する前記整流板の傾斜角度を変更する整流板駆動部とを備えることを特徴とする電子機器。
【請求項３】
請求項２に記載の電子機器において、
前記整流板は、第１整流板および第２整流板とで構成され、
前記第１整流板および前記第２整流板は、前記吐出方向から見た場合に、互いの前記回動軸が交差していることを特徴とする電子機器。
【請求項４】
請求項１に記載の電子機器において、
前記排気変更手段は、
前記ファンによる空気の吐出方向と交差して延出する整流面を有する整流板と、
前記排気口に設けられ、前記整流板を保持するとともに、前記吐出方向と略平行な回転軸を中心に回転可能に構成される枠部材と、
前記回転軸を中心として前記枠部材を回転させる枠部材駆動部とを備えることを特徴とする電子機器。
【請求項５】
請求項１から請求項４のいずれかに記載の電子機器において、
前記排気変更手段は、
前記排気口に設けられ、前記ファンによる空気の吐出方向に開口部を有し、当該空気を導風する中空の導風部材と、
伸縮自在に形成され、前記外装筐体と前記導風部材とを連結する連結部材と、
前記連結部材の少なくとも一部を伸縮させる連結部材駆動部とを備えることを特徴とする電子機器。
【請求項６】
請求項１から請求項５のいずれかに記載の電子機器において、
前記排気変更手段は、前記ファンの向きを所定の角度に変更させるファン角度制御部を備えることを特徴とする電子機器。
【請求項７】
請求項１から請求項６のいずれかに記載の電子機器において、
前記検知手段は、複数設けられ、当該複数の検知手段は、互いに異なる空間にある物体を検知可能とされ、
前記制御手段は、
前記複数の検知手段による前記検知情報に基づいて物体の検知状態を認識する検知状態認識部と、
前記検知状態と、前記排気方向とが関連付けられた排気方向情報を記憶する記憶部と、
前記検知状態認識部により認識される物体の検知状態と、前記記憶部に記憶される排気方向情報とに基づいて排気方向を選択する排気方向選択部と、
前記排気方向を、前記排気方向選択部により選択される排気方向に変更するように前記排気変更手段を制御する排気方向制御部とを備えることを特徴とする電子機器。
【請求項８】
請求項１から請求項７に記載の電子機器において、
当該電子機器は、光源装置と、前記光源装置から射出される光を画像情報に応じて変調して光学像を形成する光変調装置と、形成された光学像を拡大投射する投射光学装置とを備えるプロジェクタであることを特徴とする電子機器。
【発明の詳細な説明】
【技術分野】
【０００１】
本発明は、電子機器に関する。
【背景技術】
【０００２】
従来、光源から射出された光を画像情報に応じて変調して光学像を形成し、当該光学像を拡大投射するプロジェクタが知られている。このようなプロジェクタの外装筐体内は、光源の発熱や、光源から射出された光による発熱があるので、ファンを利用して外装筐体に形成された吸気口から外部の空気を吸気し、この吸気した空気をプロジェクタの内部に流通させることにより冷却している。そして、冷却が行われた後の空気は、プロジェクタの外装筐体に設けられた排気口から排気している。
【０００３】
この際、排気口近傍に物体があった場合には、排気効率が低下し、ひいてはプロジェクタの冷却効率が低下するという問題がある。これに対して、例えば、プロジェクタの底面部に、ファンの排気を前後左右方向に導風する排気ガイドを設け、この排気ガイドを開閉することにより排気方向を変更することができるプロジェクタが知られている（例えば、特許文献１）。
特許文献１に記載のプロジェクタでは、プロジェクタの使用者が排気ガイドを開閉することにより、排気口近傍の物体を避けて排気することができるので、排気効率が低下するという問題もない。
【０００４】
【特許文献１】特開２００３−２０２６３１号公報
【発明の開示】
【発明が解決しようとする課題】
【０００５】
しかしながら、特許文献１に記載のプロジェクタでは、プロジェクタの使用者が排気ガイドを開閉することにより排気方向を変更しなければならないため不便であり、さらには、排気方向がプロジェクタの使用者の主観により決定されるため、十分な排気効率を得ることができない場合があるという問題がある。また、排気方向を変更するために排気ガイドを設けているので、プロジェクタの外装筐体が大型化するという問題がある。さらに、排気口は、一般的に熱設計上で最適な位置に配置されるが、排気ガイドの開閉により排気口の位置が変わるので、従来の熱設計をそのまま利用することができず、再設計を行わなければならないという問題がある。
【０００６】
本発明の目的は、自動的に排気方向を変更することができ、排気効率を向上させることができる電子機器を提供することにある。
【課題を解決するための手段】
【０００７】
本発明の電子機器は、排気口を有する外装筐体と、前記排気口を介して前記外装筐体内部の空気を外部に排気するファンとを備えた電子機器であって、前記排気口を介して排気される空気の排気方向を変更可能とする排気変更手段と、前記排気口の周囲における物体の有無を検知する検知手段と、前記排気変更手段および前記検知手段を制御する制御手段とを備え、前記検知手段は、前記排気口の周囲における物体の有無を検知情報として出力し、前記制御手段は、前記検知手段による検知情報に基づいて、前記排気変更手段に前記排気方向を変更させることを特徴とする。
【０００８】
このような構成によれば、制御手段は、検知手段による物体の検知情報に基づいて排気変更手段に排気方向を変更させるので、電子機器は、自動的に排気口近傍の物体を避けて排気方向を変更することができ、ひいては、排気効率を向上させることができる。また、電子機器は、熱設計上で最適な位置に配置された排気口の排気方向を変更可能とする排気変更手段を備えればよいので、従来の熱設計をそのまま利用することができ、外装筐体が大型化するという問題もない。
【０００９】
本発明では、前記排気変更手段は、前記排気口を介して排気される空気を整流する整流面を有し、前記ファンによる空気の吐出方向と交差する方向を回動軸として回動自在に構成された整流板と、前記回動軸を回動させて前記吐出方向に対する前記整流板の傾斜角度を変更する整流板駆動部とを備えることが好ましい。
このような構成によれば、整流板駆動部は、回動軸を回動させることにより整流板の傾斜角度を変更させるので、排気変更手段は、簡素な構成により排気方向を変更することができる。
【００１０】
本発明では、前記整流板は、第１整流板および第２整流板とで構成され、前記第１整流板および前記第２整流板は、前記吐出方向から見た場合に、互いの前記回動軸が交差していることが好ましい。
【００１１】
このような構成によれば、第１整流板の回動軸と、第２整流板の回動軸とは、ファンによる空気の吐出方向から見た場合に互いに交差しているので、排気変更手段は、１つの整流板により排気変更手段を構成した場合と比較して、より広範囲に排気方向を変更することができる。
【００１２】
本発明では、前記排気変更手段は、前記ファンによる空気の吐出方向と交差して延出する整流面を有する整流板と、前記排気口に設けられ、前記整流板を保持するとともに、前記吐出方向と略平行な回転軸を中心に回転可能に構成される枠部材と、前記回転軸を中心として前記枠部材を回転させる枠部材駆動部とを備えることが好ましい。
【００１３】
このような構成によれば、枠部材駆動部は、枠部材を、回転軸を中心として回転させることにより整流板を回転させることができるので、排気変更手段は、簡素な構成により排気方向を変更することができる。
【００１４】
本発明では、前記排気変更手段は、前記排気口に設けられ、前記ファンによる空気の吐出方向に開口部を有し、当該空気を導風する中空の導風部材と、伸縮自在に形成され、前記外装筐体と前記導風部材とを連結する連結部材と、前記連結部材の少なくとも一部を伸縮させる連結部材駆動部とを備えることが好ましい。
【００１５】
このような構成によれば、連結部材駆動部は、連結部材の少なくとも一部を伸縮させることにより導風部材の開口方向を変更させることができるので、排気変更手段は、排気方向を変更することができる。例えば、導風部材を略矩形状の中空の枠状に形成するとともに、連結部材を、断面矩形の筒状に形成し、この連結部材の側面を蛇腹状とすることにより伸縮自在に構成した場合には、側面の一部を伸張させることにより、導風部材の開口方向を変更させて排気方向を変更することができる。
また、導風部材の開口部に、前述した各整流板を設けた場合には、排気変更手段は、連結部材を伸張させることにより導風部材の開口方向を変更することができ、整流板により排気方向を更に変更することができるので、より広範囲に排気方向を変更することができる。
【００１６】
本発明では、前記排気変更手段は、前記ファンの向きを所定の角度に変更させるファン角度制御部を備えることが好ましい。
【００１７】
このような構成によれば、ファン角度制御部は、ファンの向きを変更させることによりファンによる空気の吐出方向を変更させるので、排気変更手段は、排気方向を変更することができる。したがって、排気口などに新たな部材を設ける必要がなく、電子機器の構成を簡素化することができる。また、前述した各整流板を設けることにより排気方向を変更する場合には、ファンにより吐出される空気が整流板の整流面にあたることにより排気方向を変更するので風切り音を伴うが、ファンの向きを変更させることにより排気方向を変更する場合には、整流板などを設けなくてもよいので風切り音を低減することができ、電子機器の静音化を図ることができる。
【００１８】
本発明では、前記検知手段は、複数設けられ、当該複数の検知手段は、互いに異なる空間にある物体を検知可能とされ、前記制御手段は、前記複数の検知手段による前記検知情報に基づいて物体の検知状態を認識する検知状態認識部と、前記検知状態と、前記排気方向とが関連付けられた排気方向情報を記憶する記憶部と、前記検知状態認識部により認識される物体の検知状態と、前記記憶部に記憶される排気方向情報とに基づいて排気方向を選択する排気方向選択部と、前記排気方向を、前記排気方向選択部により選択される排気方向に変更するように前記排気変更手段を制御する排気方向制御部とを備えることが好ましい。
【００１９】
ここで、物体の検知状態とは、これら複数の検知手段のうち、どの検知手段により物体が検知されているかを示す状態である。例えば、排気口に向かって上方向、下方向、左方向、および右方向の空間にある物体をそれぞれ検知可能とする４つの検知手段を設けた場合においては、各方向の空間にある物体を検知する検知手段のいずれかにより物体が検知されている場合の他、上方向および左方向の２方向の空間にある物体を検知する２つの検知手段により物体が検知されている場合等、それぞれの場合における検知状態がある。
【００２０】
そして、記憶部に記憶される排気方向情報は、これらの検知状態と、排気方向とが関連付けられたものである。例えば、上方向の空間にある物体を検知する検知手段により物体が検知されている検知状態に、下方向の排気方向が関連付けられ、左方向の空間にある物体を検知する検知手段により物体が検知されている検知状態に、右方向の排気方向が関連付けられている等である。
したがって、このような構成によれば、複数の検知手段は、互いに異なる空間にある物体を検知可能とされているので、所定の空間内に物体があるか否かを検出するような検知手段であっても排気口の周囲にある物体を十分に検知することができる。
【００２１】
本発明では、当該電子機器は、光源装置と、前記光源装置から射出される光を画像情報に応じて変調して光学像を形成する光変調装置と、形成された光学像を拡大投射する投射光学装置とを備えるプロジェクタであることが好ましい。
このような構成によれば、前述した電子機器の作用および効果と同様の作用および効果を享受することができる。
【発明を実施するための最良の形態】
【００２２】
以下、本発明の一実施形態を図面に基づいて説明する。
〔第１実施形態〕
〔プロジェクタの外観構成〕
図１は、プロジェクタ１の外観を示す斜視図である。図１では、説明の便宜上、光学像の投射方向をＺ軸とし、該Ｚ軸に直交する２軸をそれぞれＸ軸（水平軸）およびＹ軸（垂直軸）とする。なお、以下の図面も同様である。
電子機器としてのプロジェクタ１は、光源から射出された光束を画像情報に応じて変調して光学像を形成し、形成した光学像をスクリーンＳｃ（図５参照）上に拡大投射するものである。このプロジェクタ１は、図１に示すように、略直方体状の外装筐体２、およびこの外装筐体２から露出する投射レンズ３を備える。
投射レンズ３は、筒状の鏡筒内に複数のレンズが収納された組レンズとして構成され、プロジェクタ１により画像情報に応じて形成された光学像を拡大投射する。
【００２３】
外装筐体２は、合成樹脂製であり、プロジェクタ１の装置本体を収納するものである。
外装筐体２の上面部分において、投射レンズ３の−Ｚ軸方向側（背面側）には、図１に示すように、プロジェクタ１の起動・調整操作を実施する操作パネル２１が左右方向に延びるように設けられている。
また、外装筐体２の上面部分において、操作パネル２１の−Ｘ軸方向側（前方から見て左側）には、図１に示すように、平面視矩形状の蓋体設置用凹部２２が形成され、この蓋体設置用凹部２２に着脱自在に平面視矩形板状のランプ交換用蓋体２３が取付けられている。そして、このランプ交換用蓋体２３を取り外すことにより、後述する光源装置を構成する光源ランプを着脱可能に構成されている。
さらに、外装筐体２における上面部分において、蓋体設置用凹部２２の＋Ｚ軸方向側には、図１に示すように、プロジェクタ１外部に音声を出力するためのスピーカ孔２４が形成されている。このスピーカ孔２４の内側には、所定の音声を出力するスピーカ（図示略）が配置されている。
【００２４】
また、外装筐体２の背面部分には、図１に示すように、複数の孔２５が形成され、これら複数の孔２５を介して、外部の電子機器からの画像信号、音声信号等を入力するための複数の接続端子２６が外部に露出している。この背面部分の内側には、接続端子２６から入力される信号を処理する図示しないインターフェース基板が配置されている。
さらに、外装筐体２における−Ｘ軸方向側の側面部分２Ａにおいて、−Ｚ軸方向側には、図１に示すように、外装筐体２の内外を連通する排気口２７が形成されている。
【００２５】
ここで、図２は、排気口２７の内部を示す透視図である。
外装筐体２内部の排気口２７の近傍位置には、図２に示すように、外装筐体２の内部に空気を流通させるファン２７Ａが配置され、外装筐体２の内部を流通することにより温められた空気、すなわち、ファン２７Ａにより吐出される空気は、排気口２７から排気される。
なお、ファン２７Ａは、後述する光源装置を構成する光源ランプと隣接して配置されている。ファン２７Ａにより流通される空気の流速は、ファン２７Ａの近傍位置が最も早く、光源ランプは、プロジェクタ１を構成する部品の中で発熱量が最も大きいためである。このように、排気口２７およびファン２７Ａは、熱設計上で最適な位置に配置されている。
【００２６】
排気口２７が形成された側面部分２Ａには、図１に示すように、上方向フィールドセンサ２８Ｕ、下方向フィールドセンサ２８Ｌ、前方向フィールドセンサ２８Ｆ、後方向フィールドセンサ２８Ｂがそれぞれ取付けられている。
検知手段としてのフィールドセンサ２８Ｕ，２８Ｌ，２８Ｆ，２８Ｂは、超音波を出力し、物体からの反射波を検出することにより、側面部分２Ａにおける上（＋Ｙ軸）方向、下（−Ｙ軸）方向、前（＋Ｚ軸）方向、後（−Ｚ軸）方向の互いに異なる空間にある物体の有無を検知することができる。なお、本実施形態では、フィールドセンサ２８Ｕ，２８Ｌ，２８Ｆ，２８Ｂは、物体を検知した場合には、オン信号を出力し、検知していない場合にはオフ信号を出力する。ここで、フィールドセンサ２８Ｕ，２８Ｌ，２８Ｆ，２８Ｂが出力する信号は、本発明における検知情報である。
【００２７】
また、排気口２７には、図１に示すように、Ｙ軸方向に配列された複数の整流板２９１と、略矩形状に形成され、この複数の整流板２９１を回動自在に保持する枠部材２９２とを備えるルーバ２９が設けられている。
ここで、図３は、排気口２７に設けられたルーバ２９を示す図である。
第１整流板としての各整流板２９１は、図３に示すように、ファン２７Ａによる空気の吐出方向（−Ｘ軸方向）と交差してＺ軸方向に延出し、排気口２７を介して排気される空気を整流する整流面を有している。また、各整流板２９１は、−Ｘ軸方向側の一端に回動軸２９３（図４参照）を備え、この回動軸２９３は、回動自在に枠部材２９２に保持されている。すなわち、各整流板２９１は、回動軸２９３を軸として回動することにより、ファン２７Ａによる空気の吐出方向に対する整流板２９１の整流面の傾斜角度を変更することができる。そして、排気口２７を介して排気される空気の排気方向は、この整流面の傾斜角度に応じて変更される。
【００２８】
また、排気口２７には、図３に示すように、ルーバ２９とファン２７Ａによる空気の吐出方向に対向配置され、Ｚ軸方向に配列された複数の整流板３０１と、略矩形状に形成され、この複数の整流板３０１を回動自在に保持する枠部材３０２とを備えるルーバ３０とが設けられている。
【００２９】
第２整流板としての各整流板３０１は、図３に示すように、ファン２７Ａによる空気の吐出方向と交差してＹ軸方向に延出し、排気口２７を介して排気される空気を整流する整流面を有している。また、各整流板３０１は、−Ｘ軸方向側の一端に３０３（図４参照）を備え、この回動軸３０３は、回動自在に枠部材３０２に保持されている。すなわち、各整流板３０１は、回動軸３０３を軸として回動することにより、ファン２７Ａによる空気の吐出方向に対する整流板３０１の整流面の傾斜角度を変更することができる。そして、排気口２７を介して排気される空気の排気方向は、この整流面の傾斜角度に応じて変更される。
ここで、各整流板２９１の回動軸２９３および各整流板３０１の回動軸３０３は、それぞれＺ軸方向およびＹ軸方向であり、ファン２７Ａによる空気の吐出方向から見た場合に、互いの回動軸が交差している。
【００３０】
また、図４は、各整流板２９１，３０１を回動させるための構造を示す模式図である。
各整流板２９１，３０１には、図４に示すように、整流板駆動部としてのリニアアクチュエータ２９１Ａ，３０１Ａが、それぞれ棒部材２９１Ｂ，３０１Ｂを介して接続されている。そして、リニアアクチュエータ２９１Ａ，３０１Ａは、後述する制御手段３２（図５参照）からの制御信号の下、棒部材２９１Ｂ，３０１Ｂを矢印Ａ方向に進退させることができる。したがって、リニアアクチュエータ２９１Ａ，３０１Ａにて棒部材２９１Ｂ，３０１Ｂを進退させて各回動軸２９３，３０３を回動させることにより各整流板２９１，３０１の整流面の傾斜角度を変更させることができる。これにより、リニアアクチュエータ２９１Ａ，３０１Ａは、排気口２７を介して排気される空気の排気方向を変更することができる。
【００３１】
具体的には、リニアアクチュエータ２９１Ａ，３０１Ａは、各整流板２９１の向きを、側面部分２Ａにおける上方向または下方向に変更することにより、排気口２７を介して排気される空気の排気方向を、側面部分２Ａにおける上方向または下方向に変更することができ、各整流板３０１の向きを、側面部分２Ａにおける前方向または後方向に変更することにより、排気口２７を介して排気される空気の排気方向を、側面部分２Ａにおける前方向または後方向に変更することができる。
すなわち、本実施形態における排気変更手段は、各整流板２９１，３０１と、リニアアクチュエータ２９１Ａ，３０１Ａとにより構成されている。
【００３２】
〔プロジェクタの内部構成〕
図５は、プロジェクタ１の概略構成を示すブロック図である。
プロジェクタ１は、図５に示すように、画像投射手段３１と、制御手段３２とで大略構成されている。
画像投射手段３１は、画像データ（画像情報）に基づく光学像を形成してスクリーンＳｃに拡大投射するものであり、図５に示すように、光源装置３１１と、光変調装置としての液晶パネル３１２と、投射光学装置３１３とを備える。
【００３３】
光源装置３１１は、超高圧水銀ランプにて構成される光源ランプ３１４を備え、光源ランプ３１４は、光を液晶パネル３１２に向けて射出する。
なお、光源ランプ３１４は、超高圧水銀ランプに限らず、メタルハライドランプ、キセノンランプ等の放電型の光源ランプや、発光ダイオード、レーザダイオード、有機ＥＬ素子、シリコン発光素子等の各種自己発光素子を採用してもよい。
液晶パネル３１２は、透過型の液晶パネルであり、画像データに基づいて、液晶セル（図示略）に封入された液晶分子の配列を変化させ、光源ランプ３１４から射出された光を、透過若しくは遮断することにより画像データに応じて変調して光学像を形成し、この光学像を投射光学装置３１３に射出する。
投射光学装置３１３は、液晶パネル３１２から射出された光学像をスクリーンＳｃに向けて拡大投射する。
【００３４】
なお、図示は省略したが、プロジェクタ１は、ＲＧＢの３色に対応する３枚の液晶パネル３１２を備えている。また、光源装置３１１は、光源ランプ３１４から射出される光を３色の光に分離する色光分離光学系を備えている。さらに、投射光学装置３１３は、前述した投射レンズ３を含んで構成され、３色の光学像を合成してカラー画像を表す光学像を生成する合成光学系を有している。なお、このような光学系の構成については、種々の一般的なプロジェクタの光学系の構成が利用可能である。
【００３５】
制御手段３２は、例えば、ＣＰＵ（Central Processing Unit）等を含んで構成され、プロジェクタ１全体を制御する他、リニアアクチュエータ２９１Ａ，３０１Ａと、フィールドセンサ２８Ｕ，２８Ｌ，２８Ｆ，２８Ｂとを制御する部分であり、図５に示すように、記憶部３２１と、検知状態認識部３２２と、排気方向選択部３２３と、排気方向制御部３２４とを備える。これら各構成要素３２１〜３２４は、図示しないバスにより接続され、必要な情報が伝送可能に構成されている。
【００３６】
記憶部３２１は、制御手段３２が所定の処理を実行するためのプログラムやデータ等を記憶するものであり、フィールドセンサ２８Ｕ，２８Ｌ，２８Ｆ，２８Ｂによる物体の検知情報に基づく検知状態と、排気口２７を介して排気される空気の排気方向とが関連付けられた排気方向情報を記憶する。
排気方向情報は、フィールドセンサ２８Ｕ，２８Ｌによる物体の検知情報に基づく検知状態に、各整流板２９１の向きが関連付けられている排気方向情報と、フィールドセンサ２８Ｆ，２８Ｂによる物体の検知情報に基づく検知状態に、各整流板３０１の向きが関連付けられている排気方向情報とを含む。
【００３７】
具体的には、フィールドセンサ２８Ｕ，２８Ｌによる物体の検知情報に基づく検知状態に、各整流板２９１の向きが関連付けられている排気方向情報は、以下の通りである。
まず、フィールドセンサ２８Ｕにおいて物体が検知され、フィールドセンサ２８Ｌにおいて物体が検知されない検知状態である場合には、各整流板２９１の向きは、排気口２７を介して排気される空気の排気方向が、側面部分２Ａにおける下方向となるように関連付けられている。
【００３８】
また、フィールドセンサ２８Ｕにおいて物体が検知されず、フィールドセンサ２８Ｌにおいて物体が検知された検知状態である場合には、各整流板２９１の向きは、排気口２７を介して排気される空気の排気方向が、側面部分２Ａにおける上方向となるように関連付けられている。
さらに、フィールドセンサ２８Ｕ，２８Ｌにおいて物体が検知された検知状態である場合、およびフィールドセンサ２８Ｕ，２８Ｌにおいて物体が検知されない検知状態である場合には、各整流板２９１の向きは、排気口２７を介して排気される空気の排気方向が正面（図１中−Ｘ軸）方向となるように関連付けられている。
【００３９】
次に、フィールドセンサ２８Ｆ，２８Ｂによる物体の検知情報に基づく検知状態に、各整流板３０１の向きが関連付けられている排気方向情報は、以下の通りである。
まず、フィールドセンサ２８Ｆにおいて物体が検知され、フィールドセンサ２８Ｂにおいて物体が検知されない検知状態である場合には、各整流板３０１の向きは、排気口２７を介して排気される空気の排気方向が、側面部分２Ａにおける後方向となるように関連付けられている。
【００４０】
また、フィールドセンサ２８Ｆにおいて物体が検知されず、フィールドセンサ２８Ｂにおいて物体が検知された検知状態である場合には、各整流板３０１の向きは、排気口２７を介して排気される空気の排気方向が、側面部分２Ａにおける前方向となるように関連付けられている。
さらに、フィールドセンサ２８Ｆ，２８Ｂにおいて物体が検知された検知状態である場合、およびフィールドセンサ２８Ｆ，２８Ｂにおいて物体が検知されない検知状態である場合には、各整流板３０１の向きは、排気口２７を介して排気される空気の排気方向が正面方向となるように関連付けられている。
すなわち、排気方向情報は、フィールドセンサ２８Ｕ，２８Ｌ，２８Ｆ，２８Ｂによる物体の検知情報に基づく検知状態に、排気口２７近傍の物体を避けて排気することができる排気方向が、それぞれ関連付けられている。
【００４１】
検知状態認識部３２２は、フィールドセンサ２８Ｕ，２８Ｌ，２８Ｆ，２８Ｂから出力されるオン信号またはオフ信号、すなわち、検知情報を取得し、取得された検知情報に基づいて物体の検知状態を認識する。
排気方向選択部３２３は、検知状態認識部３２２により認識される物体の検知状態と、記憶部３２１に記憶される排気方向情報とに基づいて排気方向を選択する。
排気方向制御部３２４は、リニアアクチュエータ２９１Ａ，３０１Ａに制御信号を出力し、排気口２７を介して排気される空気の排気方向を、排気方向選択部３２３により選択された排気方向に変更させる。すなわち、排気方向制御部３２４は、排気口２７を介して排気される空気の排気方向を、排気方向選択部３２３により選択された排気方向に変更するようにリニアアクチュエータ２９１Ａ，３０１Ａを制御する。
【００４２】
ここで、図６は、排気方向制御部３２４により変更される排気方向の一例を示す概略図である。
例えば、図６（Ａ）に示すように、検知状態認識部３２２により、前方向フィールドセンサ２８Ｆのみにおいて物体が検知された場合（図６中丸印）には、排気方向制御部３２４は、各整流板２９１の向きを、排気口２７を介して排気される空気の排気方向が、側面部分２Ａにおける正面方向となるように変更させ、各整流板３０１の向きを、排気口２７を介して排気される空気の排気方向が、側面部分２Ａにおける後方向となるように変更させる。
したがって、排気口２７を介して排気される空気の排気方向Ｄ１は、側面部分２Ａにおける後方向となる。
【００４３】
また、例えば、図６（Ｂ）に示すように、検知状態認識部３２２により、下方向フィールドセンサ２８Ｌと、後方向フィールドセンサ２８Ｂとにおいて物体が検知された場合（図６中丸印）には、排気方向制御部３２４は、各整流板２９１の向きを、排気口２７を介して排気される空気の排気方向が、側面部分２Ａにおける上方向となるように変更させ、各整流板３０１の向きを、排気口２７を介して排気される空気の排気方向が、側面部分２Ａにおける前方向となるように変更させる。
したがって、排気口２７を介して排気される空気の排気方向Ｄ２は、側面部分２Ａにおける上方向と、前方向との中間位置となる。
【００４４】
さらに、例えば、図６（Ｃ）に示すように、検知状態認識部３２２により、下方向フィールドセンサ２８Ｌと、前方向フィールドセンサ２８Ｆと、後方向フィールドセンサ２８Ｂとにおいて物体が検知された場合（図６中丸印）には、排気方向制御部３２４は、各整流板２９１の向きを、排気口２７を介して排気される空気の排気方向が、側面部分２Ａにおける上方向となるように変更させ、各整流板３０１の向きを、排気口２７を介して排気される空気の排気方向が、側面部分２Ａにおける正面方向となるように変更させる。
したがって、排気口２７を介して排気される空気の排気方向Ｄ３は、側面部分２Ａにおける上方向となる。
【００４５】
〔排気方向の制御方法〕
次に、排気口２７を介して排気される空気の排気方向の制御方法について、図７を参照して説明する。図７は、排気方向の制御方法を示すフローチャートである。
まず、プロジェクタ１の使用者により、操作パネル２１が操作され、プロジェクタ１が起動すると、検知状態認識部３２２は、フィールドセンサ２８Ｕ，２８Ｌ，２８Ｆ，２８Ｂから出力される検知情報を取得し、取得された検知情報に基づいて物体の検知状態を認識する（ステップＳ１）。
なお、この際、全てのフィールドセンサ２８Ｕ，２８Ｌ，２８Ｆ，２８Ｂにおいて物体が検知された場合には、スピーカ孔２４の内側に配置されたスピーカ（図示略）から警告音が出力される。
【００４６】
検知状態認識部３２２により、物体の検知状態が認識されると、排気方向選択部３２３は、検知状態認識部３２２により認識される物体の検知状態と、記憶部３２１に記憶される排気方向情報とに基づいて排気方向を選択する（ステップＳ２）。
排気方向選択部３２３により排気方向が選択されると、排気方向制御部３２４は、リニアアクチュエータ２９１Ａ，３０１Ａに制御信号を出力し、排気口２７を介して排気される空気の排気方向を、排気方向選択部３２３により選択された排気方向に変更させる（ステップＳ３）。
【００４７】
以上のようなステップＳ１〜Ｓ３により、プロジェクタ１は、排気口近傍の物体を避けて排気するように、自動的に排気方向を変更することができ、プロジェクタ１の内部を流通した空気は、変更された排気方向に排気される。
【００４８】
本実施形態に係るプロジェクタ１によれば、次のような効果がある。
（１）排気方向制御部３２４は、検知状態認識部３２２により認識される物体の検知状態に基づいて、リニアアクチュエータ２９１Ａ，３０１Ａに、排気口２７を介して排気される空気の排気方向を変更させるので、自動的に排気口近傍の物体を避けて排気方向を変更することができ、ひいては、排気効率を向上させることができる。
（２）プロジェクタ１は、熱設計上で最適な位置に配置された排気口２７の排気方向を変更可能とする排気変更手段を備えればよいので、従来の熱設計をそのまま利用することができ、外装筐体が大型化するという問題もない。
【００４９】
（３）リニアアクチュエータ２９１Ａ，３０１Ａは、各回動軸２９３，３０３を回動させることにより各整流板２９１，３０１の整流面の傾斜角度を変更させるので、排気変更手段は、簡素な構成により排気口２７を介して排気される空気の排気方向を変更することができる。
（４）各整流板２９１の回同軸２９３と、各整流板３０１の回同軸３０３とは、ファン２７Ａによる吐出方向から見た場合に互いに交差しているので、１つの整流板により排気変更手段を構成した場合と比較して、より広範囲に排気口２７を介して排気される空気の排気方向を変更することができる。
【００５０】
〔第２実施形態〕
本発明の第２実施形態に係るプロジェクタ１Ａについて説明する。
なお、以下の説明では、既に説明した部分については、同一符号を付してその説明を省略する。
前記第１実施形態に係るプロジェクタ１では、排気変更手段は、各整流板２９１，３０１と、リニアアクチュエータ２９１Ａ，３０１Ａとにより構成されていた。
これに対して、本実施形態に係るプロジェクタ１Ａでは、図８および図９に示すように、排気変更手段として、ルーバ３３と、連結部材３４と、リニアアクチュエータ（図示略）とにより構成されている点で異なる。
【００５１】
図８および図９は、排気口２７の周縁部分に設けられるルーバ３３および連結部材３４を示す概略図である。
導風部材としてのルーバ３３は、図８および図９に示すように、Ｚ軸方向に配列された複数の整流板３３１と、略矩形状に形成され、この複数の整流板３３１を各整流板３３１の向きが正面方向となるように保持する枠部材３３２とを備えている。したがって、ルーバ３３は、ファン２７Ａによる空気の吐出方向に開口部を有し、この空気を導風する中空の部材である。
連結部材３４は、断面矩形の筒状に形成され、側面を蛇腹状に形成されることにより伸縮自在に構成されている。また、連結部材３４は、一端の開口を排気口２７の周縁部分に当接して設けられ、他端の開口には枠部材３３２が取付けられ、外装筐体２と、ルーバ３３とを連結している。
【００５２】
枠部材３３２の各頂点３３２Ａ，３３２Ｂ，３３２Ｃ，３３２Ｄには、各頂点３３２Ａ，３３２Ｂ，３３２Ｃ，３３２Ｄをそれぞれ支持する支持棒（図示略）が接続されている。さらに、各支持棒には、連結部材駆動部としてのリニアアクチュエータ（図示略）がそれぞれ接続され、制御手段３２からの制御信号の下、Ｘ軸方向に進退可能に構成されている。
すなわち、各リニアアクチュエータは、枠部材３３２の各頂点３３２Ａ，３３２Ｂ，３３２Ｃ，３３２Ｄを外装筐体２から突出させることができ、連結部材３４の側面の一部を伸張させることができる。これにより、各リニアアクチュエータは、ルーバ３３の開口方向を変更することができるので、排気口２７を介して排気される空気の排気方向を変更することができる。
【００５３】
具体的には、各リニアアクチュエータは、頂点３３２Ａ，３３２Ｂを外装筐体２から突出させることにより、ルーバ３３の開口方向を側面部分２Ａにおける下方向に変更することができる。また、各リニアアクチュエータは、頂点３３２Ｃ，３３２Ｄを外装筐体２から突出させることにより、ルーバ３３の開口方向を側面部分２Ａにおける上方向に変更することができる。
【００５４】
さらに、各リニアアクチュエータは、頂点３３２Ａ，３３２Ｃを外装筐体２から突出させることにより、ルーバ３３の開口方向を側面部分２Ａにおける前方向に変更することができる。また、各リニアアクチュエータは、頂点３３２Ｂ，３３２Ｄを外装筐体２から突出させることにより、ルーバ３３の開口方向を側面部分２Ａにおける後方向に変更することができる。
なお、図８は、頂点３３２Ｂ，３３２Ｄを、外装筐体２から突出させた状態を示す図であり、図９は、頂点３３２Ｃ，３３２Ｄを、外装筐体２から突出させた状態を示す図である。
【００５５】
このような本実施形態においても、前記第１実施形態の（１）、（２）と同様の作用、効果を得ることができる。
なお、本実施形態では、各整流板３３１は、各整流板３３１の向きが正面方向となるように枠部材３３２に保持されていたが、前記第１実施形態と同様に回動自在に構成し、整流板駆動部により回動させてもよい。この場合には、排気変更手段は、連結部材３４を伸張させることによりルーバの開口方向を変更することができ、整流板により排気方向を更に変更することができるので、より広範囲に排気方向を変更することができる。
【００５６】
〔第３実施形態〕
本発明の第３実施形態に係るプロジェクタ１Ｂについて説明する。
本実施形態に係るプロジェクタ１Ｂでは、図１０に示すように、排気変更手段は、複数の整流板３５１と、この複数の整流板３５１を保持する枠部材３５２と、この枠部材３５２を回転させるリニアアクチュエータ（図示略）とにより構成されている点で前記各実施形態と異なる。
【００５７】
図１０は、ルーバ３５を示す概略図である。
ルーバ３５は、図１０に示すように、Ｚ軸方向に配列された複数の整流板３５１と、この複数の整流板３５１を保持する枠部材３５２とを備えている。
整流板３５１は、ファン２７Ａによる空気の吐出方向と交差してＹ軸方向に延出し、排気口２７を介して排気される空気を整流する整流面を有している。
枠部材３５２は、排気口２７に設けられ、ファン２７Ａによる空気の吐出方向と略平行な回転軸を有する円筒状に形成され、各整流板３５１を、各整流板３５１の向きが前方向となるように保持している。
【００５８】
枠部材３５２の周縁部分において、外装筐体２の内部に嵌入されている部分にはピニオン（図示略）が形成されている。そして、このピニオンは、ラック（図示略）に当接され、ラックピニオン構造が構成されている。さらに、このラックは、枠部材駆動部としてのリニアアクチュエータ（図示略）が接続され、制御手段３２からの制御信号の下、ピニオンに対して進退可能に構成されている。
【００５９】
すなわち、リニアアクチュエータは、ラックを進退させることにより枠部材３５２を、この枠部材３５２の回転軸を中心として回転させて整流板３５１を回転させることができる。これにより、リニアアクチュエータは、排気口２７を介して排気される空気の排気方向を変更することができる。
【００６０】
このような本実施形態においても、前記第１実施形態の（１）、（２）と同様の作用、効果を得ることができる他、以下の作用、効果を奏することができる。
すなわち、リニアアクチュエータは、枠部材３５２を、この枠部材３５２の回転軸を中心として回転させることにより、整流板３５１を回転させるので、排気変更手段は、簡素な構成により、排気口２７を介して排気される空気の排気方向を変更することができる。
なお、本実施形態では、ルーバ３５の枠部材３５２は、円筒状に形成されていたが、これ以外の形状に形成されていてもよい。例えば、ルーバの枠部材を矩形状に形成し、このルーバをスラストベアリング等により排気口に対して回転可能に連結してもよく、要するに、ファン２７Ａによる空気の吐出方向と略平行な回転軸を中心に回転可能に構成されていればよい。
【００６１】
〔第４実施形態〕
本発明の第４実施形態に係るプロジェクタ１Ｃについて説明する。
本実施形態に係るプロジェクタ１Ｃでは、図１１に示すように、前記第２実施形態における枠部材３３２の内側部分に、前述したファン２７Ａと同様の構成を有するファン２７Ｂが取付けられている点で前記第２実施形態と異なる。
ここで、図１１は、ルーバ３３およびファン２７Ｂを示す概略図である。
ファン角度制御部としてのリニアアクチュエータ（図示略）は、各頂点３３２Ａ，３３２Ｂ，３３２Ｃ，３３２Ｄを外装筐体２から突出させることにより、ファン２７Ｂの姿勢を変更させることができる。したがって、リニアアクチュエータは、ファン２７Ｂの向きを所定の角度に変更させることにより、ファン２７Ｂによる空気の吐出方向を変更させるので、排気口２７を介して排気される空気の排気方向を変更することができる。
【００６２】
このような本実施形態においても、前記第１実施形態の（１）、（２）と同様の作用、効果を得ることができる他、以下の作用、効果を奏することができる。
すなわち、前記各実施形態のように、排気変更手段が、整流板２９１，３０１，３３１，３５１の整流面により排気方向を変更する場合には、ファン２７Ａにより吐出される空気が整流面にあたることにより排気方向を変更するので風切り音を伴うが、本実施形態のように、ファン２７Ｂの向きを変更させることにより排気方向を変更する場合には、ファン２７Ｂによる吐出方向と、整流面とを略並行とすることができるので、風切り音を低減することができ、プロジェクタ１Ｃの静音化を図ることができる。
【００６３】
なお、本実施形態では、ファン２７Ｂは、前記第２実施形態における枠部材３３２の内側部分に取付けられていた。これに対して、例えば、排気口２７に整流板を設けることなく、メッシュ状のカバーを設け、ファンにロータリーソレノイドなどを接続することにより、ファンの姿勢を変更可能に構成してもよい。この場合には、排気口２７などに新たな部材を設ける必要がなく、プロジェクタ１の構成を簡素化することができる。要するに、ファンの姿勢を変更することにより、排気方向を変更することができればよい。
【００６４】
〔実施形態の変形〕
なお、本発明は前記実施形態に限定されるものではなく、本発明の目的を達成できる範囲での変形、改良等は本発明に含まれるものである。
前記各実施形態における各排気変更手段は例示であり、本発明はこれに限られるのもではない。例えば、前記第３実施形態において、ファンにロータリーソレノイドなどを接続することにより、ファンの姿勢をも変更可能としてもよく、前記各実施形態における各排気変更手段の組み合わせは任意である。さらには、これ以外の排気変更手段を採用してもよく、要するに、排気変更手段は、排気口を介して排気される空気の排気方向を変更可能に構成されていればよい。
【００６５】
前記各実施形態では、検知手段としてフィールドセンサ２８Ｕ，２８Ｌ，２８Ｆ，２８Ｂを採用していたが、例えば、赤外線近接センサなどを採用してもよく、要するに、物体の有無を検知することができるセンサであればよい。さらには、ＣＣＤ（Charge Coupled Device）カメラ等により撮像された画像に基づいて物体の有無を検知するようにしてもよい。
前記各実施形態では、外装筐体２の側面部分２Ａにおける上方向、下方向、前方向、後方向の４箇所にフィールドセンサ２８Ｕ，２８Ｌ，２８Ｆ，２８Ｂを設けていたが、例えば、前方向、後方向の２箇所のみに設けるなど、これ以下の数でもよく、これ以上の数であってもよい。さらには、これ以外の方向に設けてもよく、要するに、互いに異なる空間にある物体を検知することができればよい。
【００６６】
前記各実施形態では、排気方向情報は、フィールドセンサ２８Ｕ，２８Ｌ，２８Ｆ，２８Ｂによる物体の検知情報に基づく検知状態に、排気口２７近傍の物体を避けて排気することができる排気方向が、それぞれ関連付けられていたが、前記各実施形態とは異なる排気方向が関連付けられていてもよい。要するに、物体の検知状態と、排気口２７を介して排気される空気の排気方向とが関連付けられていればよい。
前記各実施形態では、排気方向選択部３２３は、検知状態認識部３２２により認識される物体の検知状態と、記憶部３２１に記憶された排気方向情報に基づいて排気方向を選択していたが、これ以外の方法により排気方向を選択してもよい。例えば、検知状態認識部３２２により認識される物体の検知状態に基づいて計算により排気方向を選択してもよく、要するに、排気口２７を介して排気される空気の排気方向を、物体の検知状態に基づいて選択すればよい。
【００６７】
前記各実施形態では、電子機器としてプロジェクタを例示したが、テレビジョン受信機などであってもよく、要するに、内部を流通させた空気を排気するファンと、このファンにより排気される空気を外部に排気する排気口とを備える電子機器であればよい。
前記各実施形態では、透過型の液晶パネル３１２を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
前記各実施形態では、液晶パネル３１２を３枚設けた構成としていたが、これに限らず、１枚のみの液晶パネル３１２を設ける構成、２枚の液晶パネル３１２を設ける構成、４枚以上の液晶パネル３１２を設ける構成としてもよい。
【産業上の利用可能性】
【００６８】
本発明は、電子機器に利用することができ、特にプロジェクタに好適に利用することができる。
【図面の簡単な説明】
【００６９】
【図１】本発明の第１実施形態に係るプロジェクタの外観を示す斜視図。
【図２】前記実施形態に係る排気口の内部を示す透視図。
【図３】前記実施形態に係る排気口に設けられたルーバを示す図。
【図４】前記実施形態に係る整流板を回動させるための構造を示す模式図。
【図５】前記実施形態に係るプロジェクタの概略構成を示すブロック図。
【図６】前記実施形態に係る排気方向制御部により変更される排気方向の一例を示す概略図。
【図７】前記実施形態に係る排気方向の制御方法を示すフローチャート。
【図８】本発明の第２実施形態に係るルーバにおける前方向の２つの頂点を外装筐体から突出させた場合におけるルーバの姿勢を示す図。
【図９】前記実施形態に係るルーバにおける下方向の２つの頂点を外装筐体から突出させた場合におけるルーバの姿勢を示す図。
【図１０】本発明の第３実施形態に係るルーバを示す概略図。
【図１１】本発明の第４実施形態に係るルーバおよびファンを示す概略図。
【符号の説明】
【００７０】
１〜１Ｃ…プロジェクタ（電子機器）、２…外装筐体、２７…排気口、２７Ａ，２７Ｂ…ファン、２８Ｕ，２８Ｌ，２８Ｆ，２８Ｂ…フィールドセンサ（検知手段）、３２…制御手段、３３…ルーバ（導風部材）、３４…連結部材、２９１…整流板（第１整流板）、３０１…整流板（第２整流板）、２９１Ａ，３０１Ａ…リニアアクチュエータ（整流板駆動部）、３１１…光源装置，３１２…液晶パネル（光変調装置）、３１３…投射光学装置、３２１…記憶部、３２２…検知状態認識部、３２３…排気方向選択部、３２４…排気方向制御部、３５１…整流板、３５２…枠部材、Ｄ１〜Ｄ３…排気方向。
【図１】
2008203450.tif 000003
【図２】
2008203450.tif 000004
【図３】
2008203450.tif 000005
【図４】
2008203450.tif 000006
【図５】
2008203450.tif 000007
【図６】
2008203450.tif 000008
【図７】
2008203450.tif 000009
【図８】
2008203450.tif 000010
【図９】
2008203450.tif 000011
【図１０】
2008203450.tif 000012
【図１１】
2008203450.tif 000013